(57)【要約】【課題】同期回転電機において、回転子の冷却機能を確保しながら磁気飽和を抑制する。【解決手段】は、ロータシャフトとこれに取り付けられた回転子磁路部１３とを有する回転子と、固定子磁路部を有する固定子と、フレームと、軸受とを備える。回転子および固定子の少なくとも一方は、磁力生成部１５を有し、回転子磁路部１１２および固定子磁路部の少なくとも一方は板状であり、その厚さ方向に貫通する複数の磁界中冷却路１７を有する少なくとも一つのグループを有する。一つのグループにおいて、一方の表面においては一つの方向に向かって一列に並んでおり、一列に並ぶ列の中心線を含み一方の表面に垂直な垂直面に沿った方向および垂直面を挟んだ互いに反対の方向から選択された所定の方向について、一つの方向に並ぶ複数の磁界中冷却路１７のうちの互いに隣接する磁界中冷却路１７は、互いに同一方向または異なる方向に貫通するように形成されている。【選択図】図６
2020137386.tif 000002
【特許請求の範囲】
【請求項１】
回転軸方向に延びたロータシャフトと、前記ロータシャフトに取り付けられた回転子磁路部とを有する回転子と、
前記回転子に対向する固定子磁路部を有する固定子と、
前記固定子を囲むように径方向の外側に配されたフレームと、
前記回転子を２箇所でそれぞれ回転可能に支持する軸受と、
を備え、
前記回転子および前記固定子の少なくとも一方は、磁力生成部を有し、
前記回転子磁路部および前記固定子磁路部の少なくとも一方は板状であり、その厚さ方向に貫通する複数の磁界中冷却路を有する少なくとも一つのグループを有し、
前記一つのグループにおいて前記複数の磁界中冷却路は、一方の表面においては一つの方向に向かって一列に並んでおり、
前記一列に並ぶ列の中心線を含み前記一方の表面に垂直な面に沿った方向および前記面を挟んだ互いに反対の方向から選択された所定の複数の方向について、前記一つの方向に並ぶ前記複数の磁界中冷却路のうちの互いに隣接する前記磁界中冷却路は、互いに同一方向または異なる方向に貫通するように形成されている、
ことを特徴とする同期回転電機。
【請求項２】
前記複数の磁界中冷却路は、前記一方の表面に垂直な面を挟んで互いに反対側となるそれぞれの領域における通風面積の合計が、互いに実質的に同一になるように形成されていることを特徴とする請求項１に記載の同期回転電機。
【請求項３】
前記複数の磁界中冷却路のそれぞれは、前記一列に並ぶ列の中心を含み前記一方の表面に垂直な面を挟んで交互に反対方向に向かって貫通するように形成されていることを特徴とする請求項１または請求項２に記載の同期回転電機。
【請求項４】
前記複数の磁界中冷却路のそれぞれは、前記一列に並ぶ列の中心を含み前記一方の表面に垂直な面に沿って形成されていることを特徴とする請求項１ないし請求項３のいずれか一項に記載の同期回転電機。
【請求項５】
前記複数の磁界中冷却路のそれぞれは、直線状に形成されていることを特徴とする請求項１ないし請求項４のいずれか一項に記載の同期回転電機。
【請求項６】
前記回転子磁路部は、前記ロータシャフトと同芯に前記ロータシャフトに胴部支持板を介して取り付けられた円筒状の回転子胴部であり、
前記回転子は、前記磁力生成部として前記回転子胴部に互いに周方向に間隔をおいて配されそれぞれ軸方向に延びた複数の永久磁石または界磁巻線を有し、
周方向に互いに隣接する前記永久磁石または界磁巻線に挟まれた前記回転子胴部に、前記複数の磁界中冷却路として複数の胴部通気孔が形成されている、
ことを特徴とする請求項１ないし請求項５のいずれか一項に記載の同期回転電機。
【請求項７】
前記回転子磁路部は、前記ロータシャフトに取り付けられた円板状の回転子鉄心であり、
前記固定子磁路部は、前記回転子鉄心を軸方向に挟みかつ中央に前記ロータシャフトと間隙をもって前記ロータシャフトと同芯に配された円形の開口が形成された穴あき円板状の固定子鉄心であり、
前記回転子は、前記磁力生成部として前記回転子鉄心に互いに周方向に間隔をおいて配されそれぞれ径方向に延びた複数の永久磁石または電磁石を有し、
前記固定子は、前記磁力生成部として前記固定子鉄心の前記回転子鉄心に対向する側の表面に周方向に互いに間隔をおいて径方向に延びるように形成された複数の固定子ティースと前記複数の固定子ティースに巻回された複数の固定子巻線を有する、
ことを特徴とする請求項１ないし請求項５のいずれか一項に記載の同期回転電機。
【請求項８】
前記回転子磁路部は、前記ロータシャフトに取り付けられた円板状の回転子鉄心であり、
前記固定子磁路部は、前記回転子鉄心を軸方向に挟みかつ中央に前記ロータシャフトの外表面に間隙をもって前記ロータシャフトと同芯に配された穴あき円板状の固定子鉄心であり、
前記固定子は、前記磁力生成部として前記固定子鉄心に互いに周方向に間隔をおいて配されそれぞれ径方向に延びた複数の永久磁石または電磁石を有し、
前記回転子は、前記磁力生成部として前記回転子鉄心の前記固定子鉄心に対向する側の表面に周方向に互いに間隔をおいて径方向に延びるように形成された複数の回転子ティースと前記複数の回転子ティースに巻回された複数の回転子巻線を有する、
ことを特徴とする請求項１ないし請求項５のいずれか一項に記載の同期回転電機。
【発明の詳細な説明】
【技術分野】
【０００１】
本発明は、同期回転電機に関する。
【背景技術】
【０００２】
同期回転電機においては、通常、固定子側に電機子巻線を設け、回転子側で回転磁界を形成する。回転磁界を形成する構成としては、回転子に界磁巻線を設ける場合と、永久磁石を設ける場合がある。すなわち、たとえば、同期発電機において、進み遅れの調整などのために界磁調整が必要な場合には界磁巻線を設ける方式がある。あるいは、界磁調整が不要な場合には、巻線によるのではなく永久磁石を用いる方式がある。
【先行技術文献】
【特許文献】
【０００３】
【特許文献１】特許第５７８５５２１号公報
【発明の概要】
【発明が解決しようとする課題】
【０００４】
同期回転電機の場合において、回転子側から界磁を形成することもあり、回転子の冷却を効率よく行う必要がある。このため、たとえば、突極形の回転子において、互いに隣接する突極の間に、軸方向に互いに間隔をあけて、径方向の内側から外側へ貫通する複数の流路を形成して、冷却通路を確保する例がある（特許文献１参照）。
【０００５】
しかしながら、これらの流路は界磁の磁力線が通過するはずだった磁路を横切ることから、磁路を狭めることになる。このため、局所的に磁気飽和の発生がもたらされる。これを防止するためには、界磁の磁路となる構造体の寸法を大きくする必要があった。
【０００６】
そこで、本発明は、同期回転電機において、回転子の冷却機能を確保しながら、磁気飽和を抑制することを目的とする。
【課題を解決するための手段】
【０００７】
上述の目的を達成するため、本発明に係る同期回転電機は、回転軸方向に延びたロータシャフトと、前記ロータシャフトに取り付けられた回転子磁路部とを有する回転子と、前記回転子に対向する固定子磁路部を有する固定子と、前記固定子を囲むように径方向の外側に配されたフレームと、前記回転子を２箇所でそれぞれ回転可能に支持する軸受と、を備え、前記回転子および前記固定子の少なくとも一方は、磁力生成部を有し、前記回転子磁路部および前記固定子磁路部の少なくとも一方は板状であり、その厚さ方向に貫通する複数の磁界中冷却路を有する少なくとも一つのグループを有し、前記一つのグループにおいて前記複数の磁界中冷却路は、一方の表面においては一つの方向に向かって一列に並んでおり、前記一列に並ぶ列の中心線を含み前記一方の表面に垂直な面に沿った方向および前記面を挟んだ互いに反対の方向から選択された所定の複数の方向について、前記一つの方向に並ぶ前記複数の磁界中冷却路のうちの互いに隣接する前記磁界中冷却路は、互いに同一方向または異なる方向に貫通するように形成されている、ことを特徴とする。
【発明の効果】
【０００８】
本発明によれば、同期回転電機において、回転子の冷却機能を確保しながら、磁気飽和を抑制することができる。
【図面の簡単な説明】
【０００９】
【図１】第１の実施形態に係る同期回転電機の構成を示す立断面図である。
【図２】第１の実施形態に係る同期回転電機の回転子の構成を示す図３のＩＩ−ＩＩ線矢視軸方向部分縦断面図である。
【図３】第１の実施形態に係る同期回転電機の回転子の構成を示す図２のＩＩＩ−ＩＩＩ線矢視横断面図である。
【図４】第１の実施形態に係る同期回転電機の回転子の構成を示す図２のＩＶ−ＩＶ線矢視部分横断面図である。
【図５】第１の実施形態に係る同期回転電機の回転子の構成を示す図２のＶ−Ｖ線矢視部分横断面図である。
【図６】第１の実施形態に係る同期回転電機の回転子の回転子胴部を径方向外側から見た周方向への展開図である。
【図７】第１の実施形態に係る同期回転電機の回転子の回転子胴部を径方向内側から見た周方向への展開図である。
【図８】第１の実施形態に係る同期回転電機の回転子の第１の変形例による回転子胴部を示す部分横断面図である。
【図９】第１の実施形態に係る同期回転電機の回転子の第１の変形例による回転子胴部を径方向内側から見た周方向への展開図である。
【図１０】第１の実施形態に係る同期回転電機の回転子の第２の変形例による回転子胴部を示す部分横断面図である。
【図１１】第１の実施形態に係る同期回転電機の回転子の第２の変形例による回転子胴部を径方向内側から見た周方向への展開図である。
【図１２】第１の実施形態に係る同期回転電機の回転子の作用を説明するための部分横断面図である。
【図１３】第１の実施形態に係る同期回転電機の回転子の作用を説明するための図１２のＸＩＩＩ−ＸＩＩＩ線矢視部分横断面図である。
【図１４】第２の実施形態に係る同期回転電機の構成を示す図１６のＸＩＶ−ＸＩＶ線矢視縦断面図である。
【図１５】第２の実施形態に係る同期回転電機の構成を示す図１６のＸＶ−ＸＶ線矢視縦断面図である。
【図１６】第２の実施形態に係る同期回転電機の構成を示す図１４のＸＶＩ−ＸＶＩ線矢視横断面図である。
【図１７】第２の実施形態に係る同期回転電機の構成を示す図１４のＸＶＩＩ−ＸＶＩＩ線矢視横断面図である。
【発明を実施するための形態】
【００１０】
以下、図面を参照して、本発明の実施形態に係る同期回転電機および回転子について説明する。
【００１１】
［第１の実施形態］
図１は、第１の実施形態に係る同期回転電機の構成を示す立断面図である。同期回転電機１００は、回転子１１０、固定子１２０、フレーム１３０、２つの軸受３２、冷却器１４０を有する。
【００１２】
回転子１１０は、回転軸方向（以下、軸方向とも呼ぶ）に延びたロータシャフト１１と、ロータシャフト１１の径方向外側に取り付けられた回転子１１０側の回転子磁路部１３としての円筒状の回転子胴部１１２と、回転子胴部１１２に支持された回転子１１０側の磁力生成部１５としての複数の磁極１１７とを有する。ロータシャフト１１は、回転子胴部１１２を挟んだ軸方向の両側でそれぞれ、軸受３２により回転可能に支持される。
【００１３】
ロータシャフト１１には、回転子胴部１１２とそれぞれの軸受３２との間において、それぞれ内扇１１９が取り付けられており、ロータシャフト１１の回転とともに回転する。内扇１１９は、軸受３２側の冷却用気体を、吸い込み、回転子胴部１１２および固定子１２０側に押し出す。
【００１４】
固定子１２０は、空隙１１６を介して磁極１１７の径方向外側に配された固定子磁路部１４としての円筒形状の固定子鉄心１２１と、固定子鉄心１２１内を貫通する複数の固定子巻線１２２とを有する。
【００１５】
フレーム１３０は、回転子胴部１１２と磁極１１７、および固定子１２０を囲むようにこれらの径方向の外側に配されている。フレーム１３０の軸方向の両側の端部にはそれぞれ軸受ブラケット３４が取り付けられている。軸受ブラケット３４は、それぞれ軸受３２を静止支持する。
【００１６】
冷却器１４０は、たとえば、外気あるいは水などの冷却媒体が管内を流れる冷却管１４１と、冷却管１４１を収納する冷却器カバー１４２を有し、回転子１１０および固定子１２０を冷却する空気などの冷却用気体を冷却する。
【００１７】
フレーム１３０内の空間と冷却器カバー１４２内の空間は、冷却器入口開口１４３および２つの冷却器出口開口１４４で連通している。冷却器入口開口１４３は、固定子１２０の上方に形成されている。また、２つの冷却器出口開口１４４は、冷却器入口開口１４３を挟んで軸方向の両側に形成されている。
【００１８】
フレーム１３０、軸受ブラケット３４、および冷却器カバー１４２は、互いにあいまって全体として、１つの密閉空間を形成する。
【００１９】
図２は、第１の実施形態に係る同期回転電機の回転子の構成を示す図３のＩＩ−ＩＩ線矢視軸方向部分縦断面図であり、図３は、図２のＩＩＩ−ＩＩＩ線矢視横断面図である。
【００２０】
回転子１１０において回転子１１０側の回転子磁路部１３としての回転子胴部１１２は、その軸方向の両端部分を円板状の胴部支持板１１５によって径方向内側から支持されている。
【００２１】
それぞれの胴部支持板１１５は穴あき円板状で、径方向内側がロータシャフト１１に固定されており、径方向外側が回転子胴部１１２に接続されている。胴部支持板１１５には、ロータシャフト１１が貫通する部分以外にも複数の円形の支持板開口１１５ａが周方向に互いに間隔をもって形成されている。なお、支持板開口１１５ａの形状は円形に限らず、たとえば楕円形あるいは多角形でもよい。また、図２では回転子胴部１１２が２つの胴部支持板１１５を介してロータシャフト１１に取り付けられている場合を例にとって示しているが、これに限定されない。たとえば、回転子胴部１１２の軸方向の中央付近で、１つの胴部支持板１１５を介してロータシャフト１１に取り付けられている場合であってもよい。
【００２２】
回転子磁路部１３としての回転子胴部１１２の径方向表面には、磁力生成部１５としての複数の磁極１１７が取り付けられている。それぞれの磁極１１７は、ほぼ直方体で軸方向に伸びた永久磁石１１７ｂと、回転子胴部１１２の径方向表面に取り付けられて永久磁石１１７ｂを支持する磁石支持部１１７ａを有する。これら複数の磁極１１７は、周方向に互いに間隔をおいて配されている。なお、磁極１１７が永久磁石１１７ｂを有する場合を例にとって示したが、これに限定されない。すなわち、磁極１１７が、界磁巻線を有する電磁石の場合でもよい。
【００２３】
図４は、第１の実施形態に係る同期回転電機の回転子の構成を示す図２のＩＶ−ＩＶ線矢視部分横断面図、図５は、図２のＶ−Ｖ線矢視部分横断面図である。また、図６は、第１の実施形態に係る同期回転電機の回転子の回転子胴部を径方向外側から見た周方向への展開図、図７は、回転子胴部を径方向内側から見た周方向への展開図である。
【００２４】
図４ないし図７は、回転子磁路部１３としての回転子胴部１１２に形成された磁界中冷却路１７としての胴部通気孔１１３の詳細を示すものである。
【００２５】
回転子胴部１１２を径方向外側から見た周方向への展開図である図６に示すように、胴部通気孔１１３は、互いに隣接する磁極１１７に挟まれて軸方向に拡がった回転子胴部１１２の径方向外側の表面において、軸方向に一列に並ぶように配されている。これらを一つのグループと呼ぶものとする。全ての互いに隣接する磁極１１７に挟まれた領域にそれぞれのグループが配されている。従って、回転子胴部１１２には、全体で磁極１１７の数だけグループが形成されているが、これに限定されない。たとえば、一つおきに形成されていてもよい。あるいは、それぞれのグループに、２列が形成されていてもよい。
【００２６】
軸方向に垂直な断面である図４および図５に示すように、胴部通気孔１１３は、それぞれ軸方向に垂直な平面に沿って形成されている。しかしながら、胴部通気孔１１３のそれぞれが径方向内側に向かって貫通する方向は、回転中心軸方向すなわち、回転子胴部１１２の表面に垂直な方向ではない。
【００２７】
すなわち、図４における周方向に時計回り方向をΘ方向の正の方向であるとすると、第１通気孔１１３ａは、径方向外側から径方向内側に向かって、回転中心軸方向よりΘ方向の負の方向に傾いた方向に形成されている。また、図５に示すように、軸方向に第１通気孔１１３ａに隣接する第２通気孔１１３ｂは、径方向外側から径方向内側に向かって、回転中心軸方向よりΘ方向の正の方向に傾いた方向に形成されている。
【００２８】
この結果、回転子胴部１１２を径方向内側から見た周方向への展開図である図７に示すように、胴部通気孔１１３は、回転子胴部１１２の径方向内側の表面において、径方向外側の表面に比べて、互いの距離が拡がるように形成されている。
【００２９】
図４ないし図７では、磁界中冷却路１７としての胴部通気孔１１３が第１通気孔１１３ａと第２通気孔１１３ｂの２種の場合を例にとって示しているが、これに限定されない。たとえば、前述第１通気孔１１３ａと第２通気孔１１３ｂに加え、回転子胴部１１２の表面に垂直な方向に第３通気孔を形成し、３種類の通気孔を順に配置してもよい。以下に変形例を説明する。
【００３０】
図８は、第１の変形例による回転子胴部を示す部分横断面図であり、図９は、回転子胴部を径方向内側から見た周方向への展開図である。
【００３１】
第１の変形例においては、磁界中冷却路１７としての胴部通気孔１１３が、第１通気孔１１３ｃ、第２通気孔１１３ｄ、および第３通気孔１１３ｅを有する。第１通気孔１１３ｃ、第２通気孔１１３ｄ、および第３通気孔１１３ｅは、この順に繰り返し軸方向に配列されている。第２通気孔１１３ｄは、径方向に沿って形成されている。第１通気孔１１３ｃと第３通気孔１１３ｅは、互いに周方向について反対方向に傾いている。
【００３２】
図１０は、第２の変形例による回転子胴部を示す部分横断面図であり、図１１は、回転子胴部を径方向内側から見た周方向への展開図である。
【００３３】
第２の変形例においては、磁界中冷却路１７としての胴部通気孔１１３が、第１通気孔１１３ｆ、第２通気孔１１３ｇ、第３通気孔１１３ｈ、および第通気孔１１３ｊを有する。第１通気孔１１３ｆ、第２通気孔１１３ｇ、第３通気孔１１３ｈ、および第４通気孔１１３ｊは、この順に繰り返し軸方向に配列されている。第２通気孔１１３ｇと第３通気孔１１３ｈは、互いに周方向について反対方向に傾いている。また、第１通気孔１１３ｆと第４通気孔１１３ｊは、さらに大きな傾きで互いに周方向の反対方向に傾いている。
【００３４】
以上に説明した本実施形態および第１、第２の変形例においては、軸方向に順次、周方向の傾きが異なる通気孔が配列された例を示したが、これに限定されない。たとえば、それぞれが、１つではなく、複数が並んで配列されている場合でもよい。あるいは、特定の方向のものが複数並んでいる場合であってもよい。あるいは、軸方向に、領域ごとに配列の仕方が異なってもよい。また、周方向に互いに配列が異なっている場合でもよい。
【００３５】
すなわち、以上をまとめると、以下のように形成されている。すなわち、一つのグループにおいて、複数の磁界中冷却路１７としての胴部通気孔１１３は、一方の表面においては軸方向に向かって一列に並んでいる。また、この一列に並ぶ列の中心線を含み、この一方の表面に垂直な面に沿った方向およびその面を挟んだ互いに反対の方向から、所定の複数の方向が選択される。この一方の方向について並ぶ複数の胴部通気孔１１３のうちの互いに隣接する胴部通気孔１１３は、互いに同一方向または異なる方向に貫通するように形成されている。
【００３６】
なお、以上では、それぞれの胴部通気孔１１３は、直線的に延びている場合を示したが、これに限定されない。すなわち、曲線的に形成されていてもよい。
【００３７】
図１２は、第１の実施形態に係る同期回転電機の回転子の作用を説明するための部分横断面図であり、図１３は図１２のＸＩＩＩ−ＸＩＩＩ線矢視部分横断面図である。回転子胴部１１２の断面において、軸方向に、第１通気孔１１３ａおよび第２通気孔１１３ｂを透視した図である。
【００３８】
互いに隣接する磁力生成部１５すなわち磁極１１７の永久磁石１１７ｂの間を通過する複数の磁力線Ｍが太い破線で示されている。それぞれの磁力線Ｍは、永久磁石１１７ｂから出て、磁石支持部１１７ａおよび回転子磁路部１３としての回転子胴部１１２を通過する。
【００３９】
図１２および図１３に示すように、本実施形態による回転子１１０の回転子磁路部１３としての回転子胴部１１２は、磁力線Ｍの分布を阻害する磁界中冷却路１７としての胴部通気孔１１３、具体的には、第１通気孔１１３ａおよび第２通気孔１１３ｂが、特定の箇所に集中せずに散在している。この結果、回転子の冷却機能を確保しながら、磁気飽和を抑制することができる。
【００４０】
［第２の実施形態］
図１４は第２の実施形態に係る同期回転電機の構成を示す図１６のＸＩＶ−ＸＩＶ線矢視縦断面図、図１５は図１６のＸＶ−ＸＶ線矢視縦断面図、図１６は図１４のＸＶＩ−ＸＶＩ線矢視横断面図、また、図１７は第２の実施形態に係る同期回転電機の構成を示す図１４のＸＶＩＩ−ＸＶＩＩ線矢視横断面図である。
【００４１】
本第２の実施形態は、第１の実施形態の変形である。本第２の実施形態における同期回転電機２００は、回転子２１０、固定子２２０、フレーム２３０、軸受３２および軸受ブラケット３４を有する。本実施形態に係る同期回転電機２００は、ロータシャフト１１が鉛直方向に延びた縦置き形でもよい。あるいは、ロータシャフト１１が水平方向に延びた横置き形でもよい。
【００４２】
本第２の実施形態においては、フレーム２３０に、通風路２３１が形成されており、内扇２３２により、冷却用気体は、以下に説明する固定子２２０に形成された流路および回転子２１０に形成された流路を通過した後に、通風路入口２３１ａから通風路２３１に流入し、通風路出口２３１ｂから再び内扇２３２に流入する一巡の流路が形成されている。
【００４３】
回転子２１０は、ロータシャフト１１、これに取り付けられて径方向に拡がった円板状の回転子鉄心２１２、およびと周方向に互いに間隔をおいて配された径方向に延びた複数の永久磁石２１３を有する。なお、永久磁石に代えて電磁石であってもよい。
【００４４】
回転子鉄心２１２には、径方向にロータシャフト１１への取付け部と永久磁石２１３との間に、周方向に互いに間隔を空けて厚み方向に貫通する複数の回転子通気孔２１４が形成され、冷却用気体が回転子２１０を軸方向に通過する流路が確保されている。
【００４５】
固定子２２０は、回転子鉄心２１２を軸方向の両側で挟む固定子磁路部１４としての円板状の２つの固定子鉄心２２１およびそれぞれの固定子鉄心２２１に配された固定子巻線２２３を有する。
【００４６】
それぞれの固定子鉄心２２１は、中央にロータシャフト１１が貫通するロータシャフト１１の径方向外側表面と間隙を有する開口２１２ａが形成された孔あき円板状である。それぞれの固定子鉄心２２１の回転子鉄心２１２に面する側の表面には、周方向に互いに間隔をおいて配された複数の固定子ティース２２２が形成されている。それぞれの固定子ティース２２２は、軸方向に投影した形状は、ほぼ台形で、上辺が径方向内側、下辺は径方向外側になるように配されている。また、軸方向に厚みを有する。
【００４７】
固定子巻線２２３は、固定子ティース２２２に巻回されている。固定子ティース２２２と固定子巻線２２３とは、磁力生成部１５を構成する。
【００４８】
固定子鉄心２２１の互いに隣接する固定子ティース２２２の間の領域には、磁界中冷却路１７としての複数の固定子通気孔２２４が形成されている。
【００４９】
固定子鉄心２２１の固定子ティース２２２が形成されている側の表面、すなわち、回転子鉄心２１２に対向する側の表面においては、図１６に示すように、磁界中冷却路１７としての固定子通気孔２２４は、互いに隣接する固定子ティース２２２に挟まれて径方向に延びた領域において、径方向に一列に並ぶように配されている。これらを一つのグループと呼ぶものとする。全ての互いに隣接する固定子ティース２２２に挟まれた領域にそれぞれのグループが配されている。従って、回転子胴部１１２には、全体で固定子ティース２２２の数だけグループが形成されているが、これに限定されない。たとえば、一つおきに形成されていてもよい。あるいは、それぞれのグループに、２列が形成されていてもよい。
【００５０】
回転軸を含み、回転子鉄心２１２に対向する側の表面における固定子通気孔２２４の中心に沿った平面を想定すると、図１６および図１７に示すように、それぞれのグループにおいて、固定子通気孔２２４は径方向に交互に、この平面を挟んで互いに反対方向に貫通している。この状態は、第１の実施形態と同様であり、第１の実施形態と同様の効果を生ずる。
【００５１】
なお、本第２の実施形態においては、回転子側が永久磁石を有する界磁側で、固定子側が電機子巻線を有する電機子側の場合を例にとって示したが、これに限定されない。たとえば、電機子巻線を有する電機子側が回転子側、すなわち、回転子ティースに電機子巻線としての回転子巻線が巻回され、界磁側が固定子側の場合であって、互いに隣接する電機子巻線に挟まれた領域のそれぞれの通気孔のグループについて、同様の構成とすることであってもよい。
【００５２】
［その他の実施形態］
以上、本発明の実施形態を説明したが、実施形態は、例として提示したものであり、発明の範囲を限定することは意図していない。たとえば、実施形態では、ロータシャフトが水平方向に延びた横型の同期回転電機の場合を例にとって示したが、これに限定されない。たとえば、縦型の同期回転電機の場合であってもよい。
【００５３】
さらに、これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５４】
１１…ロータシャフト、１３…回転子磁路部、１４…固定子磁路部、１５…磁力生成部、１７…磁界中冷却路、３２…軸受、３４…軸受ブラケット、１００…同期回転電機、１１０…回転子、１１２…回転子胴部、１１３…胴部通気孔（磁界中冷却路）、１１３ａ…第１通気孔、１１３ｂ…第２通気孔、１１３ｃ…第１通気孔、１１３ｄ…第２通気孔、１１３ｅ…第３通気孔、１１３ｆ…第１通気孔、１１３ｇ…第２通気孔、１１３ｈ…第３通気孔、１１３ｊ…第４通気孔、１１５…胴部支持板、１１５ａ…支持板開口、１１６…空隙、１１７…磁極、１１７ａ…磁石支持部、１１７ｂ…永久磁石、１１９…内扇、１２０…固定子、１２１…固定子鉄心、１２２…固定子巻線、１３０…フレーム、１４０…冷却器、１４１…冷却管、１４２…冷却器カバー、１４３…冷却器入口開口、１４４…冷却器出口開口、２００…同期回転電機、２１０…回転子、２１２…回転子鉄心、２１２ａ…間隙、２１３…永久磁石、２１４…回転子通気孔、２２０…固定子、２２１…固定子鉄心、２２２…固定子ティース、２２３…固定子巻線、２２４…固定子通気孔（磁界中冷却路）、２３０…フレーム、２３１…通風路、２３１ａ…通風路入口、２３１ｂ…通風路出口、２３２…内扇
【図１】
2020137386.tif 000003
【図２】
2020137386.tif 000004
【図３】
2020137386.tif 000005
【図４】
2020137386.tif 000006
【図５】
2020137386.tif 000007
【図６】
2020137386.tif 000008
【図７】
2020137386.tif 000009
【図８】
2020137386.tif 000010
【図９】
2020137386.tif 000011
【図１０】
2020137386.tif 000012
【図１１】
2020137386.tif 000013
【図１２】
2020137386.tif 000014
【図１３】
2020137386.tif 000015
【図１４】
2020137386.tif 000016
【図１５】
2020137386.tif 000017
【図１６】
2020137386.tif 000018
【図１７】
2020137386.tif 000019